【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
感度を向上させるために、第１のレベルのモード、第２のレベルのモード、および少なくとも１つのより高いレベルのモードを含む複数の順次高感度になる探索モードを用いて、ＧＰＳ測位システムにおける位置決定信号を段階的に探索するための方法であって、
いずれかの探索窓パラメータが定められた範囲を超えるかどうかを判定することと、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行すること、およびそれに応じて探索窓パラメータを、定められた範囲の中になるように修正することと、
位置決定試行の一部として第２のレベルの探索を実行することと、
続く探索結果から少なくとも１つの測定値を導出することと、
測定値が少なくとも１つの選択された測定値満足基準を満たすかどうかを判定することと、
測定値が少なくとも１つの選択された測定値満足基準を満たす場合、位置決定試行中で追加探索を行わないことと、
測定値が少なくとも１つの選択された測定値満足基準を満たさない場合、第２のレベルを超えるより高いレベルの探索を実行することとを含む方法。
【請求項２】
信号がＧＰＳ衛星信号である請求項１に記載の方法。
【請求項３】
測定値がピークＳＮＲおよび時間測定値を含む請求項１に記載の方法。
【請求項４】
より高いレベルの探索窓パラメータが最適化される請求項１に記載の方法。
【請求項５】
より高いレベルの探索が、定められた選択基準の適用に基づいて第３のレベルと第４のレベルの探索の間で選択される請求項１に記載の方法。
【請求項６】
第２のレベルの探索からの測定値の相互相関であることを判定されている、より高いレベルの探索からのこれらの測定値を廃棄することをさらに含む請求項１に記載の方法。
【請求項７】
測定値がＳＶをよりよく表す他の測定値に優先して、実行時間中に廃棄される請求項６に記載の方法。
【請求項８】
感度を向上させるために、第１のレベルのモード、第２のレベルのモード、第３のレベルのモード、第４のレベルのモードを含む複数の順次高感度になる探索モードを用いて、ＧＰＳ測位システムにおける位置決定信号を段階的に探索するための方法であって、
いずれかの探索窓パラメータが定められた範囲を超えるかどうかを判定することと、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行すること、およびそれに応じて探索窓パラメータを、定められた範囲の中になるように修正することと、
位置決定試行の一部として第２のレベルの探索を実行することと、
続く探索結果から少なくとも１つの測定値を導出することと、
測定値が少なくとも１つの選択された測定値満足基準を満たすかどうかを判定することと、
測定値が少なくとも１つの選択された測定値満足基準を満たす場合、位置決定試行中で追加探索を行わないことと、
測定値が少なくとも１つの選択された測定値満足基準を満たさない場合、第２のレベルを超えるより高いレベルの探索を実行することとを含み、より高いレベルの探索が、少なくとも１つの定められた選択基準に基づく第３のレベルの、または第４のレベルのいずれかの探索である方法。
【請求項９】
少なくとも１つの探索から導出した測定値からエンティティの位置を決定することをさらに含む請求項８に記載の方法。
【請求項１０】
エンティティが無線通信システム内の加入者局である請求項９に記載の方法。
【請求項１１】
一連の探索モードが、順次大きくなる積分時間を用いる請求項８に記載の方法。
【請求項１２】
２０ｍｓより大きいコヒーレント積分時間を、第４のレベルの探索が用い、かつ第３のレベルの探索が用いない請求項８に記載の方法。
【請求項１３】
第２のレベルの探索からの測定値の相互相関であることを判定されている、より高いレベルの探索からのこれらの測定値を廃棄することをさらに含む請求項８に記載の方法。
【請求項１４】
測定値がＳＶをよりよく表す他の測定値に優先して、実行時間中に廃棄される請求項１３に記載の方法。
【請求項１５】
感度を向上させるために、第１のレベルのモード、第２のレベルのモード、および少なくとも１つのより高いレベルのモードを含む複数の順次高感度になる探索モードを用いて、ＧＰＳ測位システムにおける位置決定信号を段階的に探索するための方法であって、
いずれかの探索窓パラメータが定められた範囲を超えるかどうかを判定するためのステップと、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行し、およびそれに応じて探索窓パラメータを、定められた範囲の中になるように修正するためのステップと、
位置決定試行の一部として第２のレベルの探索を実行するためのステップと、
続く探索結果から少なくとも１つの測定値を導出するためのステップと、
測定値が少なくとも１つの選択された測定値満足基準を満たすかどうかを判定するステップと、
測定値が少なくとも１つの選択された測定値満足基準を満たす場合、位置決定試行中で追加探索を行わないことにするためのステップと、
測定値が少なくとも１つの選択された測定値満足基準を満たさない場合、第１のレベルを超えるより高いレベルの探索を実行するためのステップとを含む方法。
【請求項１６】
第２のレベルの探索からの測定値の相互相関であると判定されている、より高いレベルの探索からのそれらの測定値を破棄するステップをさらに含む請求項１５に記載の方法。
【請求項１７】
測定値がＳＶをよりよく表す他の測定値に優先して実行時間中に廃棄される請求項１６に記載の方法。
【請求項１８】
ＧＰＳ測位システムにおける位置決定信号を段階的に探索するための命令を記憶するメモリであって、該命令は、
いずれかの探索窓パラメータが定められた範囲を超えるかどうかを判定することと、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行し、およびそれに応じて探索窓パラメータを、定められた範囲の中になるように修正することと、
位置決定試行の一部として第２のレベルの探索を実行することと、
続く探索結果から少なくとも１つの測定値を導出することと、
測定値が少なくとも１つの選択された測定値満足基準を満たすかどうかを判定することと、
測定値が少なくとも１つの選択された測定値満足基準を満たす場合、位置決定試行中で追加探索を行わないことにすることと、
測定値が少なくとも１つの選択された測定値満足基準を満たさない場合、第２のレベルを超えるより高いレベルの探索を実行すること、
とを結合して、プロセッサおよび相関器をエネーブルにする実行可能な命令を具体化するメモリ。
【請求項１９】
ＧＰＳ測位システムにおける位置決定信号を段階的に探索するための命令を記憶するメモリであって、該メモリは、
いずれかの探索窓パラメータが定められた範囲を超えるかどうかを判定することと、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行すること、およびそれに応じて探索窓パラメータを、定められた範囲の中になるように修正することと、
位置決定試行の一部として第２のレベルの探索を実行することと、
続く探索結果から少なくとも１つの測定値を導出することと、
測定値が少なくとも１つの選択された測定値満足基準を満たすかどうかを判定することと、
測定値が少なくとも１つの選択された測定値満足基準を満たす場合、位置決定試行中で追加探索を行わないことと、
測定値が少なくとも１つの選択された測定値満足基準を満たさない場合、第２のレベルを超えるより高いレベルの探索を実行することであって、より高いレベルの探索が、少なくとも１つの定められた選択基準に基づく第３のレベルの、または第４のレベルのいずれかの探索であること、
とを結合して、プロセッサおよび相関器をエネーブルにする実行可能な命令を具体化するメモリ。
【請求項２０】
プロセッサ、相関器、およびメモリの結合において、該メモリは、ＧＰＳ測位システムにおける位置決定信号を段階的に探索するための命令を記憶するメモリであって、該プロセッサが該メモリに記憶されたソフトウェア命令にアクセスするように構成され、該プロセッサおよび該相関器が結合してソフトウェア命令を実行し、メモリは、
いずれかの探索窓パラメータが定められた範囲を超えるかどうかを判定し、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行し、およびそれに応じて探索窓パラメータを、定められた範囲の中になるように修正し、
位置決定試行の一部として第２のレベルの探索を実行し、
続く探索結果から少なくとも１つの測定値を導出し、
測定値が少なくとも１つの選択された測定値満足基準を満たすかどうかを判定し、
測定値が少なくとも１つの選択された測定値満足基準を満たす場合、位置決定試行中で追加探索を行わず、
測定値が少なくとも１つの選択された測定値満足基準を満たさない場合、第２のレベルを超えるより高いレベルの探索を実行する、
ため実行可能な命令を具体化する。
【請求項２１】
プロセッサ、相関器、およびメモリの結合において、該メモリは、ＧＰＳ測位システムにおける位置決定信号を段階的に探索するための命令を記憶するメモリであって、プロセッサがメモリに記憶されたソフトウェア命令にアクセスするように構成され、該プロセッサおよび該相関器が結合してソフトウェア命令を実行し、該メモリが、
いずれかの探索窓パラメータが定められた範囲を超えるかどうかを判定し、
ここにおいて、探索窓パラメータはＧＰＳ衛星を探索するための二次元領域を定義する、
ここにおいて、該探索窓パラメータは、位置決定エンティティが提供する捕捉支援により示される、該補足支援は各ＧＰＳ衛星に対する該探索パラメータを示す、
いずれかの探索窓パラメータが定められた範囲を超える場合、第１のレベルの探索を実行し、およびそれに応じて探索窓パラメータを、定められた範囲の中になるように修正し、
位置決定試行の一部として第２のレベルの探索を実行し、
続く探索結果から少なくとも１つの測定値を導出し、
測定値が少なくとも１つの選択された測定値満足基準を満たすかどうかを判定し、
測定値が少なくとも１つの選択された測定値満足基準を満たす場合、位置決定試行中で追加探索を行わず、
測定値が少なくとも１つの選択された測定値満足基準を満たさない場合、第２のレベルを超えるより高いレベルの探索を実行し、より高いレベルの探索が、少なくとも１つの定められた選択基準に基づく第３のレベルの、または第４のレベルのいずれかを探索する、ための実行可能な命令を具体化する。
【請求項２２】
感度を向上させるために、第１のレベルのモード、第２のレベルのモード、および第３のレベルのモードを含む複数の順次高感度になる探索モードを用いて、ＧＰＳ測位システムにおける位置決定信号を段階的に探索するための方法であって、
位置決定試行の一部として第１のレベルの探索を行なうことと、
続く探索結果から少なくとも１つの測定値を導出することと、
測定値が少なくとも１つの選択された測定値満足基準を満たすかどうか判断することと、
測定値が少なくとも１つの選択された測定値満足基準を満たす場合に、位置決定の試行中で追加探索を行なわないことと、
測定値が少なくとも１つの選択された測定値満足基準を満たしていない場合に、第1のレベルを越えるより高いレベルの探索を行なうことであって、より高いレベルの探索が少なくとも１つの定められた選択基準に基づいて、第２のレベルあるいは第３のレベルの探索のいずれかであることを含む方法。
【請求項２３】
第１のレベルの探索からの測定値の相互相関であることを判定されている、より高いレベルの探索からのこれらの測定値を廃棄することをさらに含む請求項２２に記載の方法。
【請求項２４】
測定値がＳＶをよりよく表す他の測定値に優先して実行時間中に廃棄される請求項２３に記載の方法。
【請求項２５】
感度を向上させるために、第１のレベルのモード、第２のレベルのモード、および第３のレベルのモードを含む複数の順次高感度になる探索モードを用いて、ＧＰＳ測位システムにおける位置決定信号を段階的に探索するための方法であって、
位置決定試行の一部として第１のレベルの探索を行なうステップと、
続く探索結果から少なくとも１つの測定値を導出するステップと、
測定値が少なくとも１つの選択された測定値満足基準を満たすかどうか判断するステップと、
測定値が少なくとも１つの選択された測定値満足基準を満たす場合に、位置決定の試行中で追加探索を行なわないステップと、
測定値が少なくとも１つの選択された測定値満足基準を満たしていない場合に、第1のレベルを越えるより高いレベルの探索を行ない、より高いレベルの探索が少なくとも１つの定められた選択基準に基づいて、第２のレベルあるいは第３のレベルの探索のいずれかであるステップとを含む方法。
【請求項２６】
第１のレベルの探索からの測定値の相互相関であることを判定されている、より高いレベルの探索からのこれらの測定値を廃棄するステップをさらに含む請求項２５に記載の方法。
【請求項２７】
測定値がＳＶをよりよく表す他の測定値に優先して実行時間中に廃棄される請求項２６に記載の方法。